(57)【要約】【課題】帯状のラベル連続体をロール状に巻いた状態で直接支持してもラベル連続体を損傷しにくく、しかも、ロール状に巻かれたラベル連続体において支持される中央の孔の大きさが変わってもラベル連続体をしっかり支持することができる、ラベル連続体用支持装置を提供する。【解決手段】ラベル連続体用支持装置１０はフレーム１２を含む。フレーム１２には、ベアリングホルダ２０が取り付けられる。ベアリングホルダ２０には、ボールベアリング２２ａ、２２ｂが設けられる。ボールベアリング２２ａ、２２ｂには、回転軸３０が回転可能に支持される。回転軸３０のシャフト３４ａ、３４ｂには、通路３６ａ、３６ｂが形成される。シャフト３４ｂの周囲には、ゴムからなる膨張部材５０が設けられる。【選択図】　　　図３
2004123262.tif 000002
【特許請求の範囲】
【請求項１】
帯状のラベル連続体をロール状に巻いた状態で支持するラベル連続体用支持装置であって、
回転可能に支持される回転軸、および
前記回転軸に設けられ、膨張しやすい材料で形成される膨張部材を含み、
少なくとも前記膨張部材をロール状に巻かれた前記ラベル連続体の中央の孔に入れ、前記膨張部材を前記回転軸の少なくとも直径方向に膨張させることによって、前記膨張部材で前記ラベル連続体を支持するようにした、ラベル連続体の支持装置。
【請求項２】
前記膨張部材は前記回転軸の側面の周囲に設けられ、
前記膨張部材を前記回転軸の少なくとも直径方向に膨張させるための流体を前記回転軸および前記膨張部材間に供給するための通路が前記回転軸に形成される、請求項１に記載のラベル連続体用支持装置。
【請求項３】
前記回転軸が回転しないように前記回転軸を固定するための固定手段、および
前記固定手段による前記回転軸の固定を解除するための解除手段を含む、請求項１または請求項２に記載のラベル連続体用支持装置。
【請求項４】
前記固定手段は、前記回転軸に固着されるブレーキ用ホイル、前記ブレーキ用ホイルの近傍に設けられるブレーキ用ベルト、および前記ブレーキ用ホイルに対して前記ブレーキ用ベルトを締め付ける締め付け手段を含み、
前記解除手段は、前記ブレーキ用ホイルに対して前記ブレーキ用ベルトを緩める緩め手段を含む、請求項３に記載のラベル連続体用支持装置。
【請求項５】
前記緩め手段は、前記膨張部材で支持されている前記ラベル連続体が引き出されて引っ掛けられることによって前記ブレーキ用ホイルに対して前記ブレーキ用ベルトを緩めるように回動する回動部材を含む、請求項４に記載のラベル連続体用支持装置。
【発明の詳細な説明】
【０００１】
【発明の属する技術分野】
この発明はラベル連続体用支持装置に関し、特に、たとえばラベル貼付装置などに用いられ、帯状のラベル連続体をロール状に巻いた状態で支持するラベル連続体用支持装置に関する。
【０００２】
【従来の技術】
【特許文献１】
特開２０００−２８１２６２公報
この発明の背景となる従来のラベル貼付機におけるロール状ラベルの巻芯保持装置の一例が、特開２０００−２８１２６２公報に開示されている。特開２０００−２８１２６２公報に開示されている巻芯保持装置では、バネ板および巻芯保持用つまみ部材によりロール状ラベルあるいは巻芯を保持するようにしている。
【０００３】
【発明が解決しようとする課題】
ところが、特開２０００−２８１２６２公報に開示されている巻芯保持装置では、紙管を用いないようにするために、帯状のラベル連続体をロール状に巻いた状態で直接保持すれば、巻芯保持用つまみ部材がラベル連続体に直接当たってラベル連続体を損傷してしまうおそれがある。
さらに、特開２０００−２８１２６２公報に開示されている巻芯保持装置では、ロール状に巻かれたラベル連続体において保持される中央の孔の大きさが変われば、巻芯保持用つまみ部材がその孔に対応せずラベル連続体をしっかり保持することができない。
【０００４】
それゆえに、この発明の主たる目的は、帯状のラベル連続体をロール状に巻いた状態で直接支持してもラベル連続体を損傷しにくく、しかも、ロール状に巻かれたラベル連続体において支持される中央の孔の大きさが変わってもラベル連続体をしっかり支持することができる、ラベル連続体用支持装置を提供することである。
【０００５】
【課題を解決するための手段】
この発明にかかるラベル連続体用支持装置は、帯状のラベル連続体をロール状に巻いた状態で支持するラベル連続体用支持装置であって、回転可能に支持される回転軸と、回転軸に設けられ、膨張しやすい材料で形成される膨張部材とを含み、少なくとも膨張部材をロール状に巻かれたラベル連続体の中央の孔に入れ、膨張部材を回転軸の少なくとも直径方向に膨張させることによって、膨張部材でラベル連続体を支持するようにした、ラベル連続体用支持装置である。
この発明にかかるラベル連続体用支持装置では、膨張しやすい材料で形成される膨張部材によってラベル連続体を支持するので、ラベル連続体を損傷しにくい。
さらに、この発明にかかるラベル連続体用支持装置では、ロール状に巻かれたラベル連続体において支持される中央の孔の大きさが変わっても、膨張部材がその孔に対応して変形するので、ラベル連続体をしっかり支持することができる。したがって、この発明にかかるラベル連続体用支持装置では、帯状のラベル連続体をロール状に巻いた状態で直接支持してもラベル連続体を損傷しにくく、しかも、ロール状に巻かれたラベル連続体において支持される中央の孔の大きさが変わってもラベル連続体をしっかり支持することができる。
【０００６】
この発明にかかるラベル連続体用支持装置では、たとえば、膨張部材は回転軸の側面の周囲に設けられ、膨張部材を回転軸の少なくとも直径方向に膨張させるための流体を回転軸および膨張部材間に供給するための通路が回転軸に形成される。このように膨張部材および通路を形成すれば、通路を通して回転軸および膨張部材間に流体を供給することによって、膨張部材を回転軸の少なくとも直径方向に膨張させることができる。
【０００７】
さらに、この発明にかかるラベル連続体用支持装置では、回転軸が回転しないように回転軸を固定するための固定手段と、固定手段による回転軸の固定を解除するための解除手段とを含んでもよい。このように固定手段および解除手段を含むと、膨張部材で支持されているラベル連続体が回転しないようにラベル連続体を固定したりその固定を解除したりすることができる。
【０００８】
また、この発明にかかるラベル連続体用支持装置では、たとえば、固定手段は、回転軸に固着されるブレーキ用ホイルと、ブレーキ用ホイルの近傍に設けられるブレーキ用ベルトと、ブレーキ用ホイルに対してブレーキ用ベルトを締め付ける締め付け手段とを含み、解除手段は、ブレーキ用ホイルに対してブレーキ用ベルトを緩める緩め手段を含む。
【０００９】
さらに、この発明にかかるラベル連続体用支持装置では、緩め手段は、膨張部材で支持されているラベル連続体が引き出されて引っ掛けられることによってブレーキ用ホイルに対してブレーキ用ベルトを緩めるように回動する回動手段を含んでもよい。このように回動手段を含むと、固定手段によるラベル連続体の固定をそのラベル連続体を用いて解除することができる。
【００１０】
この発明の上述の目的、その他の目的、特徴および利点は、図面を参照して行う以下の発明の実施の形態の詳細な説明から一層明らかとなろう。
【００１１】
【発明の実施の形態】
図１はこの発明にかかるラベル連続体用支持装置の一例を示す正面図解図であり、図２はそのラベル連続体用支持装置の側面図解図であり、図３はそのラベル連続体用支持装置の要部を示す平面図解図であり、図４はそのラベル連続体用支持装置の要部を示す背面図解図である。このラベル連続体用支持装置１０は、たとえば４角筒状のフレーム１２を含む。フレーム１２の長方形板状の正面部分１２ａには、円形の孔１４ａおよび１４ｂが、上下に間隔を隔てて形成される。さらに、フレーム１２の長方形状の背面部分１２ｂには、円形の孔１４ｃおよび逆Ｕ字状の孔１４ｄが、上下に間隔を隔てて形成される。
【００１２】
フレーム１２の孔１４ａには、図２および図３に示すように、ベアリングホルダ２０が取り付けられる。この場合、ベアリングホルダ２０の後方側（図２において右側）の部分は、フレーム１２の孔１４ｃ内に配置される。
【００１３】
ベアリングホルダ２０には、ボールベアリング２２ａおよび２２ｂが設けられる。この場合、ボールベアリング２２ａはベアリングホルダ２０の後方側の部分に設けられ、ボールベアリング２２ｂはベアリングホルダ２０の前方側（図２において左側）の部分に設けられる。
【００１４】
ボールベアリング２２ａおよび２２ｂには、回転軸３０が回転可能に支持される。回転軸３０は、シャフトホルダ３２を含む。シャフトホルダ３２には、第１のシャフト３４ａおよび第２のシャフト３４ｂが付き合わされた状態で固着される。
【００１５】
第１のシャフト３４ａには、通路３６ａが形成される。通路３６ａは、第１のシャフト３４ａの一端面の中央から他端面の中央にわたって形成される。また、第２のシャフト３４ｂにも、通路３６ｂが形成される。この通路３６ｂは、図３に示すように、第２のシャフト３４ｂの一端面の中央から第２のシャフト３４ｂの他端側部分の中央部にわたって形成され、さらに、その中央部から放射状に第２のシャフト３４ｂの他端側部分の側面の数箇所にわたって外部に開口するように形成される。これらの通路３６ａおよび３６ｂは、第１のシャフト３４ａの一端面および第２のシャフト３４ｂの一端面を付き合わせることによって繋がれる。これらの通路３６ａおよび３６ｂは、後述の膨張部材５０を膨張させるための流体を供給するためのものである。
【００１６】
また、シャフトホルダ３２および第１のシャフト３４ａ間には、Ｏリング３８ａが設けられる。さらに、シャフトホルダ３２および第２のシャフト３４ｂ間にも、Ｏリング３８ｂが設けられる。そのため、これらのＯリング３８ａおよび３８ｂによって、通路３６ａおよび３６ｂ間の気密が保たれる。
【００１７】
回転軸３０は、ボールベアリング２２ａおよび２２ｂで回転可能に支持される。この場合、第１のシャフト３４ａがボールベアリング２２ａで回転可能に支持され、シャフトホルダ３２がボールベアリング２２ｂで回転可能に支持される。
【００１８】
また、回転軸３０の第１のシャフト３４ａには、ボールベアリング２２ａの後方に、スナップリング４０が設けられる。そのため、ボールベアリング２２ａおよびスナップリング４０によって、回転軸３０の前方への動きが規制される。
【００１９】
さらに、回転軸３０のシャフトホルダ３２は、その一部分がボールベアリング２２ｂの正面側部分に当たるように形成される。そのため、ボールベアリング２２ｂおよびシャフトホルダ３２によって、回転軸３０の後方への動きが規制される。
【００２０】
回転軸３０において、第２のシャフト３４ｂの他端側部分の側面の周囲には、図３に示すように、ゴムからなるチューブ状の膨張部材５０が、通路３６ｂの口を覆うようにして設けられる。膨張部材５０は、通路３６ｂの口の後方および前方において、リング状の締め部材５２ａおよび５２ｂによって、第２のシャフト３４ｂに締め付けられる。したがって、空気などの流体を通路３６ａおよび３６ｂを通して第２のシャフト３４ｂおよび膨張部材５０間に供給すれば、膨張部材５０は、図３の１点鎖線で示すように、回転軸３０の直径方向を含む方向に膨張する。この膨張部材５０は、それをロール状に巻かれたラベル連続体の中央の孔に入れ、図３の１点鎖線で示すように膨張させることによって、そのラベル連続体を支持するためのものである。
【００２１】
また、回転軸３０において、第１のシャフト３４ａの他端側部分には、ブレーキ用ホイル６０が固着される。この場合、ブレーキ用ホイル６０は、フレーム１２の背面部分１２ｂの後方に設けられる。
【００２２】
ブレーキ用ホイル６０の近傍には、図４に示すように、ブレーキ用ベルト６２が設けられる。ブレーキ用ベルト６２の一端部は、フレーム１２の背面部分１２ｂに設けたピン６４に固着される。また、ブレーキ用ベルト６２の他端部は、スプリング６６の一端部に接続される。このスプリング６６の他端部は、円板６８に貫通して設けたピン７０の一端部に固着される。
【００２３】
円板６８の中央には、シャフト７２の一端部が固着される。このシャフト７２は、図２に示すように、フレーム１２の正面部分１２ａの孔１４ｂに設けたベアリングケース７４内のボールベアリング７６ａおよび７６ｂで回転可能に支持される。
【００２４】
また、シャフト７２には、ベアリングケース７４の後方および前方に、スナップリング７８ａおよび７８ｂがそれぞれ設けられる。そのため、ベアリングケース７４、スナップリング７８ａおよび７８ｂによって、シャフト７２および円板６８などの前後方向の動きが規制される。なお、円板６８は、フレーム１２の背面部分１２ｂの下方の孔１４ｄ内に配置される。
【００２５】
さらに、円板６８に設けたピン７０の他端部には、スプリング８０の一端部が接続される。このスプリング８０の他端部は、フレーム１２の正面部分１２ａの下方に設けたピン８２に固着される。このスプリング８０によって、ピン７０および円板６８などを介して、ブレーキ用ベルト６２がブレーキ用ホイル６０に対して締め付けられる。それによって、回転軸３０が回転しないように固定される。
【００２６】
なお、フレーム１２の背面部分１２ｂには、図２および図３の２点鎖線で示すように、カバー８４がブレーキ用ホイル６０などを覆うように設けられる。
【００２７】
また、シャフト７２の他端部には、図１および図２に示すように、Ｌ字型のアーム９０の一端部が固着される。このアーム９０の他端側には、円筒状のローラ９２が回転可能に支持される。このローラ９２は、それに膨張部材５０に支持されているラベル連続体を引き出して引っ掛けることによって、ラベル連続体を右側に設けられるたとえばラベル貼付機構（図示せず）側に案内するためのものである。そして、このローラ９２を介して、ラベル連続体用支持装置とラベル貼付機構の間でラベル連続体が掛け渡され、ラベル連続体の掛け渡された張力などによって、ローラ９２が右側に変位されると、アーム９０などを介して、円板６８を回動することができる。この場合、スブリング８０が伸びる方向に円板６８が回動するので、ブレーキ用ベルト６２がブレーキ用ホイル６０に対して緩められ、回転軸３０の固定が解除される。一方、ラベル連続体の張力などが緩められ、ローラ９２の変位が解除される（左側に戻る）と、回転軸３０は固定状態となる。
【００２８】
なお、アーム９０には、アーム９０に対するローラ９２の軸方向の動きを規制するために、ローラ９２の両側にＥリング９４ａおよび９４ｂがそれぞれ設けられる。
【００２９】
また、フレーム１２の正面部分１２ａの上部には、図１および図２に示すように、２本の長いバー１００ａおよび１００ｂが左右に間隔を隔てて設けられる。さらに、フレーム１２の正面部分１２ａの高さ方向における中間部には、２本の短いバー１００ｃおよび１００ｄが左右に間隔を隔てて設けられる。
【００３０】
これらのバー１００ａ、１００ｂ、１００ｃおよび１００ｄには、膨張部材５０より後方で、多角形状の保護プレート１０２ａが固着される。また、上方のバー１００ａには、膨張部材５０より前方で、細長い保護プレート１０２ｂが、バー１００ｂに嵌るように回動可能に設けられる。これらの保護カバー１０２ａおよび１０２ｂは、膨張部材５０で支持されているラベル連続体Ｃを保護するためのものである。
【００３１】
このラベル連続体用支持装置１０では、帯状のラベル連続体をロール状に巻いた状態で支持するためには、まず、回転軸３０の第２のシャフト３４ｂおよび膨張部材５０が、図５に示すように、ロール状に巻かれたラベル連続体Ｃの中央の孔Ｈに入れられる。
【００３２】
そして、通路３６ａおよび３６ｂを通して回転軸３０の第２のシャフト３４ｂおよび膨張部材５０間に空気などの流体を供給することによって、膨張部材５０が回転軸３０の直径方向を含む方向に膨張され、図６に示すように、膨張部材５０でラベル連続体Ｃが支持される。
【００３３】
このラベル連続体用支持装置１０では、ゴムからなる膨張部材５０によってラベル連続体Ｃを支持するので、ラベル連続体Ｃを損傷しにくい。
【００３４】
さらに、このラベル連続体用支持装置１０では、ロール状に巻かれたラベル連続体Ｃにおいて支持される中央の孔Ｈの大きさが変わっても、膨張部材５０がその孔Ｈに対応して変形するので、ラベル連続体Ｃをしっかり支持することができる。
【００３５】
また、このラベル連続体用支持装置１０では、回転軸３０が回転しないように回転軸３０を固定したりその固定を解除したりすることができるので、膨張部材５０で支持されているラベル連続体Ｃが回転しないようにラベル連続体Ｃを固定したりその固定を解除したりすることができる。
【００３６】
さらに、このラベル連続体用支持装置１０では、膨張部材５０で支持されているラベル連続体Ｃを引き出してローラ９２に引っ掛けることによって、ブレーキ用ホイル６０に対してブレーキ用ベルト６２を緩めることができるので、ラベル連続体Ｃの固定をそのラベル連続体Ｃを用いて解除することができる。
【００３７】
図７はこの発明にかかるラベル連続体用支持装置の他の例の要部を示す平面図解図である。図７に示すラベル連続体用支持装置１０では、特に、回転軸３０において、シャフトホルダ３２に第１のシャフト３４ａのみが固着され、第２のシャフト３４ｂが太く形成され、第２のシャフト３４ｂの端部に凹部３５が形成され、第１のシャフト３４ａの端部が第２のシャフト３４ｂの凹部３５に嵌め込まれる。このような構造の回転軸３０が用いられてもよい。
【００３８】
なお、上述のラベル連続体用支持装置１０では、回転軸３０がシャフトホルダ３２、第１のシャフト３４ａおよび第２のシャフト３４ｂで形成されているが、それらは一体的に形成されてもよい。
【００３９】
また、上述のラベル連続体用支持装置１０では、膨張部材５０がゴムで形成されているが、膨張部材５０は膨張しやすい他の材料で形成されてもよい。
【００４０】
さらに、上述のラベル連続体用支持装置１０では、回転軸３０を固定するための固定手段としてブレーキ用ホイル６０、ブレーキ用ベルト６２およびスプリング８０などの締め付け手段が用いられているが、この発明では固定手段は他の構造のものに変更されてもよい。
【００４１】
また、上述のラベル連続体用支持装置１０では、固定手段による回転軸３０の固定を解除するための解除手段として、膨張部材５０で支持されているラベル連続体Ｃが引き出されて引っ掛けられることによってブレーキ用ホイル６０に対してブレーキ用ベルト６２を緩めるように回動するアーム９０およびローラ９２などの回動部材を含む緩め手段が用いられているが、この発明では解除手段は他の構造にものに変更されてもよい。
【００４２】
なお、この発明にかかるラベル連続体用支持装置で支持されるラベル連続体としては、たとえば、帯状の剥離台紙の表面に多数のラベルが感圧接着剤層で仮着されているものや帯状のラベル基材の裏面に感熱接着剤層が形成されていて切断することによってラベルとなるものなどがある。
【００４３】
また、この発明にかかるラベル連続体用支持装置では、円筒状の紙管の周囲にロール状に巻いたラベル連続体を支持するようにしてもよい。
【００４４】
【発明の効果】
この発明によれば、帯状のラベル連続体をロール状に巻いた状態で直接支持してもラベル連続体を損傷しにくく、しかも、ロール状に巻かれたラベル連続体において支持される中央の孔の大きさが変わってもラベル連続体をしっかり支持することができる、ラベル連続体用支持装置が得られる。
【図面の簡単な説明】
【図１】この発明にかかるラベル連続体用支持装置の一例を示す正面図解図である。
【図２】図１に示すラベル連続体用支持装置の側面図解図である。
【図３】図１に示すラベル連続体用支持装置の要部を示す平面図解図である。
【図４】図１に示すラベル連続体用支持装置の要部を示す背面図解図である。
【図５】図１に示すラベル連続体用支持装置の回転軸および膨張部材をラベル連続体の中央の孔に入れた状態を示す正面図解図である。
【図６】図５に示す状態から膨張部材を膨張させて膨張部材でラベル連続体を支持している状態を示す正面図解図である。
【図７】この発明にかかるラベル連続体用支持装置の他の例の要部を示す平面図解図である。
【符号の説明】
１０　ラベル連続体用支持装置
１２　フレーム
１２ａ　正面部分
１２ｂ　背面部分
１４ａ〜１４ｄ　孔
２０　ベアリングホルダ
２２ａ、２２ｂ　ボールベアリング
３０　回転軸
３２　シャフトホルダ
３４ａ　第１のシャフト
３４ｂ　第２のシャフト
３６ａ、３６ｂ　通路
３８ａ、３８ｂ　Ｏリング
４０　スナップリング
５０　膨張部材
５２ａ、５２ｂ　締め部材
６０　ブレーキ用ホイル
６２　ブレーキ用ベルト
６４　ピン
６６　スプリング
６８　円板
７０　ピン
７２　シャフト
７４　ベアリングケース
７６ａ、７６ｂ　ボールベアリング
７８ａ、７８ｂ　スナップリング
８０　スプリング
８２　ピン
８４　カバー
９０　アーム
９２　ローラ
９４ａ、９４ｂ　Ｅリング
１００ａ〜１００ｄ　バー
１０２ａ、１０２ｂ　保護カバー
【図１】
2004123262.tif 000003
【図２】
2004123262.tif 000004
【図３】
2004123262.tif 000005
【図４】
2004123262.tif 000006
【図５】
2004123262.tif 000007
【図６】
2004123262.tif 000008
【図７】
2004123262.tif 000009